(57)【要約】【課題】  被収容物の箱内部でのガタツキがなく、チャック付き包装袋を中袋として使用しても、そのチャック部の破損を招かず、用紙の密封性を長期間に亘って維持することが可能な収容箱、及び該収容箱の中敷きを提供すること。【解決手段】  収容箱１は、被収容物である情報記録用紙よりも大判で矩形の底板２の四辺からそれぞれ側板３，３，３’，３”が直立し、これら側板の隣接する端部同士が互いに連結されてなる箱本体４と、該箱本体４上に被さる矩形の蓋板５とから構成される。そして、上記底板２の上面の周縁部に配され、該上面に沿った被収容物の移動を制限する３つのストッパー部材６，６，６’を備え、且つ該ストッパー部材６’と上記蓋板５（可動部材５３）との間に隙間が形成されていて、該隙間に包装袋の周縁部（チャック部）が差し込み可能になしてある。【選択図】  図１
2005335714.tif 000002
【特許請求の範囲】
【請求項１】
多数枚の情報記録用紙を積み重ねてなる集積物を、包装袋で包装した状態で収容することが可能な収容箱であって、
上記情報記録用紙よりも大判で矩形の底板の四辺からそれぞれ側板が直立し、該側板の隣接する端部同士が互いに連結されてなる箱本体と、該箱本体上に被さる矩形の蓋板とから構成され、
上記底板の上面の周縁部に配され、該上面に沿った被収容物の移動を制限するストッパー部材を備え、且つ該ストッパー部材と上記蓋板との間に隙間が形成されていて、該隙間に上記包装袋の周縁部が差し込み可能になしてあることを特徴とする収容箱。
【請求項２】
上記蓋板は、上記箱本体の上記側板上端に固定される固定部材と、該固定部材の一端に連接され、該一端を折り部として該箱本体の上方を回動可能な可動部材とからなることを特徴とする請求項１記載の収容箱。
【請求項３】
上記可動部材の端縁に連接され、対応する上記箱本体の上記側板の外面側に被さる縁板を備え、該縁板が被さる該側板の外面に係合突起が形成されていると共に、該縁板における該係合突起の対応位置に、該可動部材の閉鎖時に該係合突起が係合可能な係合孔が形成されていることを特徴とする請求項２記載の収容箱。
【請求項４】
上記折り部と直交する上記底板の二辺それぞれに沿って、該二辺よりも長さの短い上記ストッパー部材が、該二辺と直交し上記可動部材が被さる上記側板と所定間隔を置いて配されていると共に、該側板とこれら２つのストッパー部材との間の中央部に、該側板よりも長さの短い上記ストッパー部材が配されており、これら３つのストッパー部材及び１つの上記側板で該集積物を保持することを特徴とする請求項２又は３記載の収容箱。
【請求項５】
上記底板は、上記側板が連接される基板と、該基板の上面に取り外し可能に載置され、上記ストッパー部材が形成された中敷きとからなることを特徴とする請求項１〜４のいずれかに記載の収容箱。
【請求項６】
多数枚の情報記録用紙を積み重ねてなる集積物を、包装袋で包装した状態で収容することが可能な収容箱で、該情報記録用紙よりも大判で矩形の底板の四辺からそれぞれ側板が直立し、該側板の隣接する端部同士が互いに連結されてなる箱本体と、該箱本体上に被さる矩形の蓋板とから構成される収容箱の該底板上に敷かれる中敷きであって、
上記底板と略同様の大きさを有する平板部材からなり、該平板部材の上面の周縁部に、該上面に沿った被収容物の移動を制限するストッパー部材を複数備え、且つ複数の該ストッパー部材のうちの少なくとも１つの高さが、上記集積物の高さよりも低いことを特徴とする収容箱の中敷き。
【発明の詳細な説明】
【技術分野】
【０００１】
本発明は、インクジェット記録用紙などの情報記録用紙を収容する収容箱に関し、詳しくは、チャック付きの包装袋で包装された多数枚の情報記録用紙を該包装袋ごと収容可能な収容箱、及び該収容箱の中敷きに関する。
【背景技術】
【０００２】
プリンタやコピー機等に用いられる情報記録用紙は、一般に、多数枚が積み重ねられて、図５に示すような、開口部に封止用のチャックが取付られたビニール製又は紙製の包装袋、あるいは該チャックの無い通常の包装袋に収容された状態で運搬・保管される。しかし、このような包装袋に収容しただけでは、運搬・保管中に該用紙に傷が入りやすい。また、例えば、被収容物がポスターの作成などに用いられるような大判の用紙である場合、該用紙をこのような包装袋に収容しただけでは、その運搬中に該用紙が波打ちやすく、運搬作業が煩雑になる。これに対し、例えば特許文献１に開示されているような、厚紙又はプラスチックの板材等からなる用紙包装箱を使用すれば、用紙に傷が付きにくく、また、運搬・保管時の作業負担も包装袋を使用する場合に比して軽減できるというメリットがある。
【特許文献１】特開２０００−２８９７８７号公報
【発明の開示】
【発明が解決しようとする課題】
【０００３】
特許文献１に開示されている如き用紙包装箱の内部に、用紙を直接収容した場合、その運搬時に箱内部で用紙が移動して端部が折れ曲がったり、表面に傷が付いたりするおそれがある。また、用紙の種類によっては、空気中の水分を吸湿するなどして用紙が変質し、いわゆるブロッキングなどの不都合が生じるおそれもある。これらの問題を解消するためには、ポリ袋などを中袋として用い、用紙をこの中袋に収容した状態で該中袋ごと包装箱に収容することが効果的である。特に、図５に示すようなチャック付きの包装袋を中袋として用いれば、用紙の密封性が高まり、用紙を長期間安定して保管することが可能となる。
【０００４】
しかしながら、用紙がきっちりと収まり、運搬時に内部の用紙が移動しないような収容空間を有する用紙包装箱に、図５に示すようなチャック付きの包装袋で包装された用紙を収容すると、チャック部Ｃが箱内部で折れ曲がるなどしてチャック機構が破損し、用紙の密封性が低下するという問題があった。収容空間に余裕のある用紙包装箱を用いれば、この問題は解消されるが、単に収容空間の大きな箱を用いただけでは、運搬時などに被収容物の箱内部でのガタツキが発生して、用紙の破損、取扱性の低下を招くおそれがある。
【０００５】
従って、本発明の目的は、被収容物の箱内部でのガタツキがなく、チャック付き包装袋を中袋として使用しても、そのチャック部分の破損を招かず、用紙の密封性を長期間に亘って維持することが可能な収容箱、及び該収容箱の中敷きを提供することにある。
【課題を解決するための手段】
【０００６】
上記目的を達成するために、本発明の収容箱は、多数枚の情報記録用紙を積み重ねてなる集積物を、包装袋で包装した状態で収容することが可能な収容箱であって、上記情報記録用紙よりも大判で矩形の底板の四辺からそれぞれ側板が直立し、該側板の隣接する端部同士が互いに連結されてなる箱本体と、該箱本体上に被さる矩形の蓋板とから構成され、上記底板の上面の周縁部に配され、該上面に沿った被収容物の移動を制限するストッパー部材を備え、且つ該ストッパー部材と上記蓋板との間に隙間が形成されていて、該隙間に上記包装袋の周縁部が差し込み可能になしてあることを特徴とする。
【０００７】
本発明の収容箱によれば、被収容物である情報記録用紙の集積物が載置される底板として、該情報記録用紙よりも大判の底板を採用すると共に、この底板上に、被収容物の該底板の上面に沿った移動（いわゆる被収容物のガタツキ）を制限するためのストッパー部材を設け、且つ該ストッパー部材と閉鎖した状態の蓋板との間に、包装袋（中袋）の周縁部が差し込み可能な隙間を設けたので、箱内部で被収容物がしっかりと固定されて運搬時の取扱性に優れ、また、該包装袋としてチャック付き包装袋を使用しても、該包装袋の周縁部にあるチャック部が折れ曲がったりせず、用紙の密封性を長期間維持することができ、用紙の長期保存が可能である。
【０００８】
また、本発明の収容箱の中敷きは、多数枚の情報記録用紙を積み重ねてなる集積物を、包装袋で包装した状態で収容することが可能な収容箱で、該情報記録用紙よりも大判で矩形の底板の四辺からそれぞれ側板が直立し、該側板の隣接する端部同士が互いに連結されてなる箱本体と、該箱本体上に被さる矩形の蓋板とから構成される収容箱の該底板上に敷かれる中敷きであって、上記底板と略同様の大きさを有する平板部材からなり、該平板部材の上面の周縁部に、該上面に沿った被収容物の移動を制限するストッパー部材を複数備え、且つ複数の該ストッパー部材のうちの少なくとも１つの高さが、上記集積物の高さよりも低いことを特徴とする。
【０００９】
本発明の収容箱の中敷きによれば、情報記録用紙の集積物を収容可能な収容箱内部の底面にこれを敷いて使用することで、複数の上記ストッパー部材により、被収容物のガタツキが効果的に防止される。また、少なくとも１つのストッパー部材の高さが、該集積物の高さよりも低く形成されていて、該ストッパー部材と閉鎖した状態の上記蓋板との間に隙間が形成されているので、包装袋（中袋）としてチャック付き包装袋を使用した場合には、該包装袋の周縁部にあるチャック部を該隙間に差し込むことで、チャック部の折れ曲がりが防止され、用紙の密封性を長期間維持することができる。
【発明を実施するための最良の形態】
【００１０】
以下、図面を参照して、本発明の好ましい一実施形態について説明する。
【００１１】
図１は、本発明の収容箱の一実施形態の斜視図、図２は、図１に示す収容箱の部分（蓋板５）破断上面図である。この収容箱１は、矩形の底板２の四辺からそれぞれ同じ高さの側板３，３，３’，３”が直立し、これら４枚の側板３の隣接する端部同士が互いに連結されてなる箱本体４と、該箱本体４上に被さる矩形の蓋板５とから構成される。側板３，３は箱本体４の側端を形成し、側板３’は箱本体４の前端（開口部先端）を形成し、側板３”は箱本体４の後端を形成する。
【００１２】
蓋板５は、側板３，３の上端の箱本体４後端側の一部及び側板３”の上端全体に亘って固定される固定部材５１と、該固定部材５１の一端に連接され、該一端を折り部５２として箱本体４の上方を回動可能な可動部材５３とから構成される。収容箱１は、この可動部材５３を上下に回動させることで、被収容物の出し入れを行う開口部の開閉が可能になる。図１は、可動部材５３を上方に回動させて、収容箱１を開口させた状態を示している。
【００１３】
折り部５２は、蓋板５の略中央部に形成され、好ましくは、固定部材５１の長さＬ51と可動部材５３の長さＬ53との比が、Ｌ51：Ｌ53＝１：１〜２：１となる位置に形成される。ここで、「固定部材（可動部材）の長さ」とは、固定部材（可動部材）の一端である折り部から、該折り部と平行な固定部材（可動部材）の他端までの距離を意味する。
【００１４】
また、可動部材５３の３つの端縁（折り部５２と連接する端縁以外の端縁）には、それぞれ、側板３，３，３’の外面側に被さる縁板５４，５４，５４’が形成されている。これら３つの縁板のうち、箱本体４の前端を形成する側板３’に被さる縁板５４’の内面には、該側板３’の外面に形成された係合突起３１，３１が係合可能な係合孔５５，５５が形成されており、可動部材５３の閉鎖時に、該係合孔５５，５５に該係合突起３１，３１を係合させることで、蓋が外れにくくなる。
【００１５】
底板２の被収容物が載置される上面の周縁部には、該上面に沿った被収容物の移動を制限する３つのストッパー部材６，６，６’が形成されている。ストッパー部材６，６は、それぞれ、上記折り部５２と直交する底板２の二辺それぞれに沿って、該各辺に連接する側板３に隣接して形成されている。ストッパー部材６，６は、図２に示すように、底板２の該二辺よりも長さが短くなっており、これらを箱本体４の後端を形成する側板３”に隣接配置することにより、該ストッパー部材６，６と、箱本体４の前端（開口部先端）を形成する側板３’（該二辺と直交し上記可動部材５３が被さる側板）との間に、所定間隔が空けられている。そして、この側板３’とストッパー部材６，６との間の中央部に、該側板３’よりも長さの短いストッパー部材６’が形成される。本実施形態では、該ストッパー部材６’の長さは、被収容物である情報記録用紙の該ストッパー部材６’と接触する一辺（短手方向の一辺）よりも短くしてあり、該ストッパー部材６’の長手方向の両側端部と側板３，３との間に、それぞれフリースペースが形成されている。このフリースペースは、被収容物を出し入れするときに手を入れるスペースとして活用される。
【００１６】
また、これら３つのストッパー部材のうち、箱本体４の側端に沿って形成されるストッパー部材６，６は、側板３とほぼ同じ高さを有しているのに対し、箱本体４の前端（開口部先端）に沿って形成されるストッパー部材６’は、収容される集積物よりも高さが低く（即ち、側板３’よりも高さが低く）形成されていて、上記可動部材５３で開口部を閉鎖したときに、該ストッパー部材６’の上端部と該可動部材５３（蓋板）との間に隙間が形成されるようになっている。この隙間は、被収容物を、周縁部にチャック部が設けられたチャック付き包装袋（中袋）で包装した状態で収容箱１に収容する場合に特に有効であり、該隙間に該包装袋のチャック部（周縁部）を差し込むことで、該チャック部に無用な圧力を与えずに被収容物を収容することができ、チャック機構の破損が効果的に防止される。
【００１７】
尚、本実施形態においては、底板２は、被収容物である情報記録用紙よりも大判で矩形の平板部材を２枚重ねることで構成されており、上に重ねられる平板部材が取り外し可能になっている。即ち、該底板２は、４枚の上記側板３が連接される平板状の基板（図示せず）と、該基板の上面に取り外し可能に載置され、上記ストッパー部材６，６，６’が形成された中敷きとから構成されている。図３は、収容箱１から取り出された中敷きの斜視図である。
【００１８】
図４は、図１に示す収容箱１に、包装袋で包装された被収容物（情報記録用紙の集積物）を収容した状態を示す斜視図である。上記の３つのストッパー部材６，６，６’と、箱本体４の後端を形成する側板３”とで囲まれた被収容物の載置スペースは、被収容物である情報記録用紙とほぼ同じ大きさとなっており、この載置スペースに、図４に示すように、包装袋で包装された情報記録用紙の集積物を載置することで、該集積物が箱内部でしっかりと保持され、いわゆる被収容物のガタツキが防止される。また、該包装袋のチャック部Ｃをストッパー部材６’上に置くことで、可動部材５３で開口部を閉鎖しても、該ストッパー部材６’と該可動部材５３との間で該チャック部Ｃが潰されることがなく、被収容物の密封性が保たれる。
【００１９】
尚、本発明の収容箱に被収容物（情報記録用紙の集積物）を収容するに当たっては、上記のように被収容物を包装袋（中袋）に収容しなければならないということはなく、包装袋無しで集積物をそのまま収容することも勿論可能である。また、包装袋としては、上記のようなチャック付きのものに限らず、チャックの無い通常のポリ袋や紙袋を使用することができる。
【００２０】
本発明の収容箱は、被収容物である情報記録用紙よりも大判で矩形の底板の四辺からそれぞれ側板が直立し、該側板の隣接する端部同士が互いに連結されてなる箱本体と、該箱本体上に被さる矩形の蓋板とから構成され、上記底板の上面の周縁部に配され、該上面に沿った被収容物の移動を制限するストッパー部材を備え、且つ該ストッパー部材と上記蓋板との間に隙間が形成されていて、該隙間に包装袋（中袋）の周縁部が差し込み可能になしてあればよく、ストッパー部材の数、形状、配置箇所などは上記実施形態に制限されず、適宜変更可能である。また、上記実施形態では、３つのストッパー部材のうち、箱本体４の前端（開口部先端）に沿って形成されたストッパー部材６’の上端と、蓋板（可動部材５４）との間にのみ、包装袋の周縁部が差し込み可能な隙間を形成していたが、他のストッパー部材６，６と蓋板（可動部材５４）との間にも同じような隙間を形成してもよい。
【００２１】
また、本発明の収容箱の材質は特に限定されず、紙製、木製、プラスチック製、金属製などから適宜選択できる。例えば、厚紙やダンボールなどの紙を折り立てることで、底板及び側板が一体に形成された箱本体や、固定部材、可動部材及び縁板が一体に形成された蓋板を作製することができる。
【図面の簡単な説明】
【００２２】
【図１】本発明の収容箱の一実施形態の斜視図である。
【図２】図１に示す収容箱の部分（蓋板）破断上面図である。
【図３】図１に示す収容箱から取り出された中敷きの斜視図である。
【図４】図１に示す収容箱に、包装袋で包装された被収容物（情報記録用紙の集積物）を収容した状態を示す斜視図である。
【図５】チャック付きの包装袋に情報記録用紙の集積物を収容した状態を示す斜視図である。
【符号の説明】
【００２３】
１…収容箱、２…底板、３，３’，３”…側板、３１…係合突起、４…箱本体、５…蓋板、５１…固定部材、５２…折り部、５３…可動部材、５４，５４’…縁板、５５…係合孔、６，６’…ストッパー部材、Ｃ…チャック部
【図１】
2005335714.tif 000003
【図２】
2005335714.tif 000004
【図３】
2005335714.tif 000005
【図４】
2005335714.tif 000006
【図５】
2005335714.tif 000007